(57)【要約】【課題】  本発明の課題は、例えば細い配管などでも利用できるように、流体の導電率を測定する電極の長さを短くした水質センサを提供することにある。【解決手段】  本発明の水質センサによれば、流体の導電率を測定するために４本以上の電極が放射状に配置されるように電極保持部に保持される。測定用の電極の数を増加させることで、電極の表面積を維持したまま電極の長さを短くできる。すなわち、同じセル定数であっても、２本の電極からなる水質センサよりも短い電極の水質センサとなる。したがって、本発明の水質センサは、電極が配管の際に干渉することが少なくなり、配管部への取り付け時における自由度が大幅に向上する【選択図】図１
2009085851.tif 000002
【特許請求の範囲】
【請求項１】
流体の水質を測定するための４本以上の棒状電極と、
前記電極を保持する電極保持部とを有し、
前記電極は、前記電極保持部の端面で放射状に保持され、少なくとも１本以上が正極、かつ、少なくとも１本以上が負極として構成されることを特徴とする水質センサ。
【請求項２】
前記電極は、前記正極として構成される電極と、前記負極として構成される電極の組み合わせを変えることを特徴とする請求項１に記載の水質センサ。
【請求項３】
前記電極保持部には、複数の前記電極に接続された増幅器を備える電装部が一体形成されていることを特徴とする請求項１又は２に記載の水質センサ。
【請求項４】
前記電極保持部は、
前記流体が流れる内部流路が形成され、一方端部に前記流体を流入させ、前記流体が流れる流路と接続される流体流入部と、他方端部に前記流体を流出させ、前記流体が流れる流路と接続される流体流出部とを備え、前記電極の一端が前記内部流路内に配設されるように前記電極を保持することを特徴とする請求項１乃至３の何れかに記載の水質センサ。
【請求項５】
前記流体流入部及び／又は前記流体流出部は、前記流路とクイックファスナによって接続されることを特徴とする請求項４に記載の水質センサ。
【発明の詳細な説明】
【技術分野】
【０００１】
本発明は、水質を測定するための水質センサに関する。
【背景技術】
【０００２】
従来より、全有機炭素計といった水質の検査を行う機器に、導電率センサが用いられている。この導電率センサとしては、流体が流れる配管の途中に２本の棒状電極を備え、この２本の電極間の電位差を測定することで、流体の導電率を測定するものがある。このような導電率センサは、ティーなどの配管部材を用いて、配管部にねじ込みにより備え付けられる。また、水の導電率を測定するものとしては、４本の棒状電極を一列に配列させたセンサが開発されている（例えば、特許文献１及び２参照）。
【０００３】
【特許文献１】実開昭６２−２０３４４６号公報
【特許文献２】特開２００１−２５５２９４号公報
【０００４】
２本の棒状電極を用いる導電率センサの場合、配管部にねじ込みする際に、例えば電極の突出部分の長さが長いことで電極に配管が干渉するなど、配管部への取り付けにおいて、導電率センサ形状が大きく制限される。また、配管部に合わせて、電極の長さを短くすると、その導電率センサのセル定数が流体に適合しない場合もある。
【０００５】
特許文献１及び特許文献２の導電率センサは、４本の棒状電極を使用しているが、流体の導電率の測定に使用される測定用電極は、１列に配列された電極のうち内側の２本である。すなわち、実質的に２本の電極からなる導電率センサと同様であり、同様の問題を有している。
【０００６】
本発明は上記実状に鑑み、例えば細い配管などでも利用できるように、流体の導電率を測定する電極の長さを短くした水質センサを提供することを目的とする。
【発明の開示】
【課題を解決するための手段】
【０００７】
そこで、本発明の水質センサは、水質を測定するための４本以上の棒状電極と、前記電極を保持する電極保持部とを有し、前記電極は、前記電極保持部の端面で放射状に保持され、少なくとも１本以上が正極、かつ、少なくとも１本以上が負極として構成されることを特徴とする。
【発明の効果】
【０００８】
本発明の水質センサによれば、流体の導電率を測定するために４本以上の電極が放射状に配置されるように電極保持部に保持される。測定用の電極の数を増加させることで、電極の表面積を維持したまま電極の長さを短くできる。すなわち、同じセル定数であっても、２本の電極からなる水質センサよりも短い電極の水質センサとなる。したがって、本発明の水質センサは、電極が配管の際に干渉することが少なくなり、配管部への取り付け時における自由度が大幅に向上する。
【発明を実施するための最良の形態】
【０００９】
以下、本発明について、４本、６本、８本及び１２本の電極を有する水質センサについて説明する。本発明の水質センサは、水質として測定する物理量に導電率を挙げて説明するが、本発明はこれに限定されるものではなく、例えば比抵抗といったその他水質に関わる物理量を測定することも可能である。また、電極の数として４本、６本、８本、１２本という偶数本で構成される水質センサを例示するが、本発明は奇数本であってもよい。
【００１０】
［実施の形態１］
実施の形態１で説明する本発明の水質センサは、図１及び図２のように、４本の電極１０，１１，１２，１３と、この電極１０，１１，１２，１３を保持する電極保持部３０とを有している。
【００１１】
電極１０，１１，１２，１３は、例えばステンレス綱、銀、銅、黄銅、金、白金、チタンなどからなる棒状の電極で、その一端は、所定の長さが突出するように電極保持部３０に保持され、電極１０，１１，１２，１３の他端は、図示しない配線を介して、図示しない電源の正極又は負極に着脱自在に接続される端子５０，５１，５２，５３に電気的にそれぞれ接続されている。
【００１２】
電極保持部３０は、内部を中空とし、接続体３３の接続側から一方端面３１に向かって外径が小さくなる円錐台形の部材である。電極保持部３０の一方端面３１には、放射状に電極１０，１１，１２，１３の外形に合わせた４つの穴４０，４１，４２，４３が形成されており、この穴から電極１０，１１，１２，１３の一端が突出するように電極１０，１１，１２，１３が電極保持部３０に保持される。より詳細には、一方端面３１の任意の点としての中心点３６を中心として、この４つの穴４０，４１，４２，４３が所定の半径の円上に形成されている。すなわち、電極１０，１１，１２，１３は、電極保持部３０の一方端面３１の中心点３６を中心に放射状に配置されている。さらに詳細には、その中心点３６を中心として、電極１０，１１，１２，１３が所定の半径の円上に配置されている。
【００１３】
この穴４０，４１，４２，４３は、電極１０，１１，１２，１３同士がそれぞれ等間隔に配置されるような位置に設けられている。この穴４０，４１，４２，４３は、電極１０，１１，１２，１３が備えられることで、隙間なく密閉され、流体の導電率計測時に、流体が内部に流入しないようになっている。
【００１４】
この電極保持部３０の他方端面側には、後述する接続体３３を介して、電極１０，１１，１２，１３の他端と電気的に接続する配線を束ねるケーブル３５が突出するよう挿通されるケーブル突出部３２が備えられており、このケーブル突出部３２と電極保持部３０とは、例えば六角ボルトのような内部を中空とする接続体３３によって接続されている。すなわち、接続体３３を介して接続される電極保持部３０とケーブル突出部３２とは、内部が繋がっており、おおよそ接続体３３の内部で、電極１０，１１，１２，１３の他端と、配線とが接続されている。
【００１５】
このような構造の水質センサは、図３のように、配管６０に備えられる際、配管の外側から、電極保持部３０の外側側面の中央近傍の外径に合わせた穴６１を空け、その穴６１に電極１０，１１，１２，１３を配管内の流体に接触させるように、電極保持部３０が刺し入れられる。そして、ケーブル突出部３２から突出しているケーブル３５に束ねられた配線と接続されている端子５０，５１，５２，５３のそれぞれが電源の正極又は負極に着脱自在に接続される。
【００１６】
このとき、端子５０，５１，５２，５３、すなわち、電極１０，１１，１２，１３の電源への接続方法としては、電源の正極と負極のそれぞれに、少なくとも１本の電極が接続されれば限定されるものではない。そして、電極１０，１１，１２，１３間の電位差を測定することで、電極１０，１１，１２，１３間を流れる流体の導電率を測定することができる。
【００１７】
流体の導電率を測定する際、流体に適合するセル定数を有する水質センサを使用する必要がある。この水質センサのセル定数は、電極間の距離と、接液中の電極の表面積すなわち、接液中の電極の長さと太さに依存する。実施の形態１で説明する水質センサの場合、導電率を測定する電極が従来よりも多いため、同じ太さの電極を使用すれば、電源の正極と負極とのそれぞれに、電極１０，１１，１２，１３を均等となるように接続することで、表面積が大きくなる。したがって、セル定数の値が同じ従来の２本の電極からなる水質センサに比べて、電極の長さを短くすることができる。
【００１８】
一例として、直径３ｍｍの電極を用いて、本発明の水質センサと従来の水質センサとして図４のような２本の電極を使用した同型の水質センサとを比較する。この場合、本発明の水質センサ及び従来の水質センサは、電極が保持される電極保持部３０の一方端面３１の中心点３６から一定の距離離れ、かつ各電極間の距離が均等となるように備えられている。従来の２本の電極を有する水質センサの場合、セル定数の値を０．２とすると、電極の長さは１４ｍｍである。
【００１９】
一方、本発明の水質センサの場合、任意の点としての中心点３６を介して対向する電極が同極となるように電源に接続すると、電極の長さが４．５ｍｍでセル定数の値が０．２となり、電極の長さを６８％短くすることができる。すなわち、図３のような例えば内径が９ｍｍといった内径の小さな配管６０に電極を備える場合、従来の２本の電極からなる水質センサでは、備え付けることができないが、本発明の水質センサであれば、水質センサを備え付けることが可能となる。したがって、配管全体の小型化が可能となり、水質センサを備えた導電率測定機器の小型化を図ることが可能となる。
【００２０】
次に、実施の形態１で説明する水質センサの電極の電源への接続について説明する。電極１０，１１，１２，１３は、同じ形状で、電極保持部３０の一方端面３１の任意の点としての中心点を中心とした所定の半径の円上に等間隔に備えられており、各電極の表面積と、隣り合う電極間の距離及びその中心を介して対向する電極間の距離はそれぞれ同じである。セル定数の観点から実施の形態１で説明する水質センサの４本の電極の電源への接続の組み合わせは、図５乃至図７の３通りである。
【００２１】
図５に示される電極の接続（平行接続）は、中心点３６を介して対向する電極が異極となるような電源の正極及び負極に接続する組み合わせである。図６に示される電極の接続（クロス接続）は、中心点３６を介して対向する電極が同極となるような電源の正極及び負極に接続する組み合わせである。図７に示される電極の接続（３：１接続）は、４本の電極のうち、１本を電源の正極又は負極、残りの３本の電極をそれとは異なる極となるような電源の正極及び負極に接続する組み合わせである。なお、図５乃至図７において、黒色又は白色で示される電極は、同じ色同士が同じ極に接続されていることを示している。以下、同様の図において同様に示す。
【００２２】
図８は、電極の長さ及び接続の組み合わせの異なる水質センサにおけるセル定数と導電率との関係を示すグラフである。図８のように、電極の長さが同じであっても、電極の接続の組み合わせによってセル定数が変化することが分かる。この結果は、電極の長さを変えても同じ傾向にあり、４本の電極の接続の組み合わせを変えることで、異なるセル定数を有する水質センサとして機能することが分かる。
【００２３】
水質センサにおいて、導電率を精密に測定する場合、流体に適合するセル定数を有する水質センサを用いる必要がある。従来では、セル定数の異なる数種の水質センサを用意する必要があったが、本発明の水質センサは、接続の組み合わせを変えることで、水質センサの形状を変えることなくセル定数を変えることができる。すなわち、１つの水質センサで対応することも可能であり、より精密な導電率の測定を行うことができる。この場合、予め水質センサのセル定数を標準溶液によって求めておき、実測する流体の状態に応じて、電源に対する電極の接続の組み合わせを適宜変更することが好ましい。
【００２４】
［実施の形態２］
実施の形態１では、導電率を測定する４本の電極からなる水質センサについて説明したが、本発明の水質センサは、４本以上の電極を有するものであれば、これに限定されるものではない。実施の形態２では、導電率を測定する電極が６本の水質センサについて説明する。この実施の形態２で説明する水質センサは、電極の本数と電極の配置が異なること以外、実施の形態１と同様である。
【００２５】
この水質センサの６本の電極は、図９のように、電極保持部３０の一方端面３１に放射状に配置されるように保持される。より詳細には、一方端面３１の任意の点としての中心点３６を中心に、電極が放射状に配置されている。さらには、その中心点３６を中心として、所定の半径の円上に等間隔に電極が配置されている。
【００２６】
そして、その電極は、中心点３６を介して対向する電極が異極となるように電源の正極及び負極に接続されるとともに、６本の電極のうち３本の電極が正極、残りの３本の電極が負極となるように接続される。すなわち、隣合う電極が異極となるように接続されている。このような６本の電極を有する水質センサであっても実施の形態１と同様に流体の導電率を測定することができる。
【００２７】
図１０は、接液中の電極の長さの異なる水質センサにおけるセル定数と導電率との関係を示すグラフである。なお、ここでは、中心点３６を介して対向する電極間の距離を１２．５ｍｍとして６本の電極を電極保持部３０に保持した水質センサと、中心点３６を介して対向する電極間の距離を１５．５ｍｍとして６本の電極を電極保持部３０に保持した水質センサとを使用して測定されたものである。
【００２８】
図１０のように、電極間の距離を変えることで、セル定数が変化することがわかる。このような６本の電極を有する水質センサも、電源への電極の接続の組み合わせを変えることでセル定数を変えることができる。また、電極の数を多くすることで、電極の表面積を大きくできるため、電極の長さを短くすることができる。実施の形態２では、正極に接続される電極と負極に接続される電極との数を同数として説明したが、実施の形態１の３：１接続のように、Ｘ：Ｙ（Ｘ及びＹは自然数であって、Ｘ＋Ｙ＝６を満たす）という比率となるように接続されてもよい。
【００２９】
［実施の形態３］
実施の形態３では、導電率を測定する電極が８本の水質センサについて説明する。この実施の形態３で説明する水質センサは、電極の本数と電極の配置が異なること以外、実施の形態１及び２と同様である。
【００３０】
この水質センサの８本の電極は、図１１及び１２のように、電極保持部３０の一方端面３１に放射状に配置されるように保持される。より詳細には、一方端面３１の任意の点としての中心点３６を中心に、電極が放射状に配置されている。さらには、その中心点３６を中心として、所定の半径の円上に電極の一部である４本の電極がそれぞれ等間隔に電極が配置され、さらにその所定の半径よりも大きい半径の円上に残りの４本の電極がそれぞれ等間隔に電極が配置されている。そして、その電極は、中心点３６を介して対向する電極が同極となるように電源の正極及び負極に接続される。
【００３１】
さらには、図１１に示される接続の組み合わせの場合、内側の円上に配置された４本の電極が全て同極となり、外側の円上に配置された残りの４本の電極が内側の４本の電極に対して異極となるように接続されている。図１２に示される接続の組み合わせの場合は、内側と外側の円上のそれぞれに配置された４本の電極が１つおきに異極となるように接続されている。このような８本の電極を有する水質センサであっても実施の形態１と同様に流体の導電率を測定することができる。
【００３２】
図１３は、図１１に示される接続の組み合わせによって電源の正極及び負極に接続された電極を有する水質センサにおけるセル定数と導電率との関係を示すグラフである。なお、ここでは、内側に配置される４本の電極における中心点３６を介して対向する電極間の距離を７．５ｍｍ又は８．５ｍｍとし、外側に配置される４本の電極における中心点３６を介して対向する電極間の距離を１２．５ｍｍ、１４．５ｍｍ又は１６ｍｍとして８本の電極を電極保持部３０に保持した４種類の水質センサを使用して測定されたものである。
【００３３】
図１３のように、内側の電極間の距離を７．５ｍｍから８．５ｍｍに変えると、内側と外側の電極間の距離が短くなる。したがって、セル定数が小さくなる。また、外側の電極間の距離を１２．５ｍｍから１４．５ｍｍ、１６ｍｍに変えると、内側と外側の電極間の距離が長くなり、セル定数が大きくなる。
【００３４】
図１４は、図１２に示される接続の組み合わせによって接続された電極を有する水質センサにおけるセル定数と導電率との関係を示すグラフである。なお、ここでは、図１１に示される接続の組み合わせによって導電率を測定した際に使用した４種類の水質センサを使用して測定されたものである。図１２に示される接続の組み合わせであっても、図１１と同様に、電極間の距離によってセル定数が変わる。
【００３５】
そして、図１３と図１４に示されるように、電源の正極及び負極への電極の接続の組み合わせを変えることで、水質センサの形状を変えることなくセル定数を変えることができる。また、電極の数を多くすることで、電極の表面積を大きくできるため、電極の長さを短くすることができる。実施の形態３では、正極に接続される電極と負極に接続される電極との数を同数として説明したが、実施の形態１の３：１接続のように、Ｘ：Ｙ（Ｘ及びＹは自然数であって、Ｘ＋Ｙ＝８を満たす）という比率となるように接続されてもよい。
【００３６】
［実施の形態４］
実施の形態４では、導電率を測定する電極が１２本の水質センサについて説明する。この実施の形態４で説明する水質センサは、電極の本数と電極の配置が異なること以外、実施の形態１乃至３と同様である。
【００３７】
この水質センサの１２本の電極は、図１５乃至図１７ように、電極保持部３０の一方端面３１に放射状に配置されるように保持される。より詳細には、一方端面３１の任意の点としての中心点３６を中心に、電極が放射状に配置されている。さらには、その中心点３６を中心として、所定の半径の円上に電極の一部である４本の電極がそれぞれ等間隔に電極が配置され、さらにその所定の半径よりも大きい半径の円上に残りの８本の電極がそれぞれ等間隔に電極が配置されている。そして、その電極は、中心点３６を介して対向する電極が同極となるように電源の正極及び負極に接続される。
【００３８】
さらには、図１５に示される接続の組み合わせ（Ａ）の場合、内側の円上に配置された４本の電極が全て同極となり、外側の円上に配置された残りの８本の電極が内側の４本の電極に対して異極となるように接続されている。図１６に示される接続の組み合わせ（Ｂ）の場合は、内側の円上に配置された４本の電極が１つおきに異極となるように接続され、外側の円上に配置された８本の電極が２つおきに異極となるように接続されている。図１７に示される接続の組み合わせ（Ｃ）の場合は、内側の円上に配置された４本の電極が１つおきに異極となるように接続され、外側の円上に配置された８本の電極が１つおきに異極となるように接続されている。
【００３９】
図１８は、図１５乃至図１７に示されるような接続の組み合わせによって電源の正極および負極に接続された電極を有する水質センサにおけるセル定数と導電率との関係を示すグラフである。なお、ここでは、内側に配置される４本の電極における中心点３６を介して対向する電極間の距離を７．５ｍｍとし、外側に配置される８本の電極における中心点３６を介して対向する電極間の距離を１６ｍｍとした水質センサを使用して計測されたものである。
【００４０】
図１８に示されるように、電源の正極及び負極への電極の接続の組み合わせを変えることで、水質センサの形状を変えることなくセル定数を変えることができる。また、電極の数を多くすることで、電極の表面積を大きくできるため、電極の長さを短くすることができる。実施の形態４では、正極に接続される電極と負極に接続される電極との数を同数として説明したが、実施の形態１の３：１接続のように、Ｘ：Ｙ（Ｘ及びＹは自然数であって、Ｘ＋Ｙ＝１２を満たす）という比率となるように接続されてもよい。
【００４１】
実施の形態１乃至４で説明したように、測定用の電極を４本以上とすることで、電極の長さを短くすることができるが、この電極の本数は、４本以上であればよく、奇数本であっても、偶数本であってもよい。
【００４２】
また、上述のように、本発明の水質センサは、正極となる電極と、負極となる電極は、電源との接続配線を変えることで、適宜変更可能である。接続配線を変えること、すなわち、正極となる電極と負極となる電極の組み合わせを変えることで、表面積や電極間の距離が変化するため、上述したように、電極に形状や電極保持部上の位置など、すなわち水質センサの外観を変えることなくセル定数を変えることができる。このとき、電極全てを正極又は負極にする必要はなく、電源に接続されない電極があってもよい。
【００４３】
さらには、電極の配線回路を変更することで、種々の機能を有する水質センサとすることもできる。例えば、上述では、電極を流体の電位差を計測するものとしたが、本発明はこれに限られるものではなく、電極の配線回路を変更することで電流値を計測することも可能であり、電位差測定用の電極と電流値測定用の電極とを併存させることも可能である。さらに、水質センサで測定できる導電率や比抵抗といった水質としての物理量は、流体の汚れや温度などによって変化することもある。この場合、本発明の水質センサは、電極の一部の配線回路を変更することで、流体の汚れや温度で変化する物理量を補償するための補償用電極として使用することも可能である。すなわち、このように、電極の配線を変えることで、セル定数だけでなく、水質センサに種々の機能を持たせることもできる。
【００４４】
なお、上述では導電率の測定を例に挙げて説明したが、本発明の水質センサは、導電率の逆数である比抵抗も測定可能であり、電極間を流れる流体の電流、電圧、抵抗等から測定できる物理量を水質として測定することができる。
【００４５】
［実施の形態５］
上述した実施の形態１乃至４で説明した水質センサは、電極保持部の内部に複数の電極に接続された増幅器としてのアンプを備える電装部を具備していてもよい。実施の形態５では、このアンプを備える電装部を具備する水質センサについて説明する。なお、実施の形態５では、実施の形態１で説明した４本の電極を有する水質センサの電極保持部に電装部を具備させたものを説明するが、本発明はこれに限定されるものではない。
【００４６】
実施の形態５で説明する水質センサは、図１９及び図２０のように、４本の電極１０，１１，１２，１３と、この電極１０，１１，１２，１３を保持する電極保持部３０とを有している。この電極１０，１１，１２，１３と電極保持部３０は、実施の形態１と同様であるため説明を省略する。
【００４７】
電極保持部３０の他方端面側には、電極保持部３０に一体形成された接続体３３を介して、電装部３９が備えられている。例えば、接続体３３を六角ボルトのような形状とすることで、スパナ等を用いて、容易に流路に実施の形態５で説明する水質センサを備えることができる。この電装部３９は、内部を中空とし、接続体３３と一体形成された筐体と蓋体とから構成され、筐体における接続体３３のある側とは反対側に開閉自在の蓋体が備えられた構造となっている。そして、電装部３９の内部には、電極１０，１１，１２，１３によって検知した信号を増幅する増幅器としてのアンプを備えた増幅回路基板３７が納められており、その増幅回路基板３７から延びるケーブル３８が電装部３９の筐体側面から突出している。なお、この電極保持部３０、接続体３３、電装部３９の筐体は、一体形成されているが、これらは独立した部材として構成されたものを組み立てて形成されたものであってもよい。
【００４８】
各電極１０，１１，１２，１３は、電装部３９内で配線を介して、増幅回路基板３７のアンプの入力に接続されており、各電極１０，１１，１２，１３で検知された信号が増幅され、この増幅された信号に基づいて電流又は電圧が測定される。測定された電流又は電圧によって、導電率や比抵抗といった水質としての物理量が測定できる。
【００４９】
このように、電装部３９と電極１０，１１，１２，１３を保持する電極保持部３０とを一体とすることで、各電極１０，１１，１２，１３から増幅回路基板３７へと接続される配線が、電極保持部３０と一体となっている電装部３９内に納められるため、水質センサの外側に出される配線の数が少なくなり、配線と増幅回路基板３７との接続の信頼性を向上させることができる。
【００５０】
［実施の形態６］
実施の形態６は、図２１のように、上述した実施の形態１乃至５に示された水質センサの電極保持部３０に代えて、内部に内部流路７１を備える電極保持部７０としたものである。この電極保持部７０以外の部材については、実施の形態５に示されるものと同様であるため説明を省略する。
【００５１】
電極保持部７０は、絶縁材料により形成され、流体が流れるＬ字状に屈曲した内部流路７１を有する中空状の部材で、流体が流れる流路としても機能する。ここで、絶縁材料としては、耐腐食性を有する樹脂材料が適しており、例えばポリフッ化ビニリデン（Ｐｏｌｙ  ｖｉｎｙｌｉｄｅｎｅ  ｆｌｕｏｒｉｄｅ：ＰＶＤＦ）が挙げられる。
【００５２】
この電極保持部７０には、流体が流れる方向（図２１中矢印７９方向）における内部流路７１の略中央である内部流路７１の屈曲部に実施の形態１と同様の電極１０，１１，１２，１３の外径に合わせた４つの穴４５，４６，４７，４８が形成されている。この穴４５，４６，４７，４８は、電極保持部７０の外側と内部流路７１とが接続されるような貫通穴で、この穴４５，４６，４７，４８から電極１０，１１，１２，１３の一端が内部流路７１内に配設されるように差し込まれて、電極保持部７０に保持される。このとき、この穴４５，４６，４７，４８は、電極１０，１１，１２，１３が保持されることで、内部流路７１を流れる流体が漏れ出ないような構造となっている。
【００５３】
また、電極保持部７０は、一方端部に流体が流入する流体流入部７２と、他方端部に流体が流出する流体流出部７３とが一体形成されている。流体流入部７２は、流体が流れる流路８０に接続される接続部材である。この流体流入部７２は、流路８０の開口部８１の内径よりも小さい外径を有しており、開口部８１の内側に嵌め込むような形状となっている。すなわち、流路流入部７２は、雄形の接続部材となる。また流路流入部７２における流体が流れる方向の下流側には、開口部８１の突起８２と略同形の突起７５が流体流入部７２の外周を一周するように設けられている。そして、流体流入部７２における開口部８１の内側に嵌め込まれる部分には窪み７６が流体流入部７２の外周を一周するように形成され、この窪み７６には流体が漏れ出すことを防止するためのオーリング８３が備えられる。そして、流路流入部７２の突起７５は、開口部８１の突起８２とともに、板状部材を略Ｃ環状に形成した所謂クイックファスナ８５に嵌め込まれ、これにより、電極保持部７０と流路８０とが接続される。このクイックファスナ８５によって、本発明の水質センサをコネクタのように簡便に扱うことができるようになる。
【００５４】
流路流出部７３は、流路流入部７２と略同様の形状で、流体が流れる流路８０に接続される接続部材である。この流体流出部７３は、図示しない流路の開口部の内径よりも小さい外径を有しており、その開口部の内側に嵌め込むような形状となっている。すなわち、流路流出部７３は、雄形の接続部材となる。また流路流出部７３における流体が流れる方向の下流側には、突起７７が流体流出部７３の外周を一周するように設けられている。そして、流体流出部７３には窪み７８が流体流出部７３の外周を一周するように形成され、この窪み７８には流体が漏れ出すことを防止するための図示しないオーリングが備えられる。流路流出部７３の突起７５は、流路流入部７２の突起７５と同様に、クイックファスナ８５に嵌め込まれる。
【００５５】
このように形成される実施の形態６で説明する水質センサは、流路８０の開口部８１を介して、流体流入部７２に流入した流体が電極保持部７０の内部流路７１を通り、流路流出部７３から流出する。このとき、この水質センサは、上述で説明したように電極１０，１１，１２，１３によって、内部流路７１を流れる流体の水質を測定する。このように実施の形態６で説明する本発明の水質センサは、このような構造とすることで、簡便に水質センサを流路に備えることができる。そして、水質センサを接続する工程において、作業員が流体の流れる部位を触れてしまったり、十分かつ適切な接続を完了せずに流体を流してしまう等の可能性を低減し、水質汚染や漏水の危険性を低下させることができる。
【００５６】
また、実施の形態６で説明する水質センサは、図２２のように、内部流路７１に配設される１０，１１，１２，１３の周囲を囲むように、外極９０が備えられていてもよい。
【００５７】
外極９０は、電極１０，１１，１２，１３とほぼ同様の材質、例えばステンレス綱、銀、銅、黄銅、金、白金、チタンなどからなる内部を空洞とした筒状部材で、内部流路７１の側面における内部流路７１に配設される電極１０，１１，１２，１３の先端部分に対応する位置に備えられる。この外極９０は、電装部３９内の増幅回路基板３７から延びる配線９１に接続され、棒状の電極１０，１１，１２，１３と略同様の機能を有する。すなわち、電極１０，１１，１２，１３及び外極９０によって構成される５つの電極によって流体の水質を測定することができる。したがって、この配線接続を変えることで、セル定数を変化させることも可能であり、より流体に適したセル定数を選択することができる。すなわち、より詳細に流体の水質を測定することができる。
【００５８】
なお、実施の形態６では、電極保持部７０に内部流路７１を設けた形状となっているが、内部流路７１、流体流入部７２及び流体流出部７３を有する流路形成体に実施の形態１乃至５で説明した水質センサの電極保持部３０を保持させるようにしてもよい。この場合、流路形成体には電極保持部３０の形状に合わせた保持穴が形成され、電極保持部３０は電極の一端が内部流路７１内に配設されるように流路形成体の保持穴に保持される。このとき、保持穴に電極保持部３０が保持されることで、内部流路７１を流れる流体が漏れ出ないような構造となっている。このような水質センサであっても上述と同様の効果を有するとともに、同形の電極保持部３０を有するものであれば、付け替えることも容易となる。
【００５９】
なお、実施の形態６で説明する本発明の水質センサは、上記の記述に限られるものではなく、例えば内部流路７１に流体の温度を検出するためのサーミスタや熱電対といった感熱素子を備えたものであってもよい。
【図面の簡単な説明】
【００６０】
【図１】実施の形態１で説明する水質センサの側面図である。
【図２】実施の形態１で説明する水質センサの正面図である。
【図３】配管に備えた実施の形態１で説明する水質センサを示す図である。
【図４】従来の水質センサの側面図である。
【図５】実施の形態１で説明する水質センサの電極を電源に接続する際の組み合わせを説明する図である。
【図６】実施の形態１で説明する水質センサの電極を電源に接続する際の別の組み合わせを説明する図である。
【図７】実施の形態１で説明する水質センサの電極を電源に接続する際の別の組み合わせを説明する図である。
【図８】実施の形態１で説明する水質センサにおける導電率とセル定数との関係を示すグラフである。
【図９】実施の形態２で説明する水質センサの電極を電源に接続する際の組み合わせを説明する図である。
【図１０】実施の形態２で説明する水質センサにおける導電率とセル定数との関係を示すグラフである。
【図１１】実施の形態３で説明する水質センサの電極を電源に接続する際の組み合わせを説明する図である。
【図１２】実施の形態３で説明する水質センサの電極を電源に接続する際の別の組み合わせを説明する図である。
【図１３】図１１で示される接続の組み合わせを有する実施の形態３で説明する水質センサにおける導電率とセル定数との関係を示すグラフである。
【図１４】図１２で示される接続の組み合わせを有する実施の形態３で説明する水質センサにおける導電率とセル定数との関係を示すグラフである。
【図１５】実施の形態４で説明する水質センサの電極を電源に接続する際の組み合わせを説明する図である。
【図１６】実施の形態４で説明する水質センサの電極を電源に接続する際の別の組み合わせを説明する図である。
【図１７】実施の形態４で説明する水質センサの電極を電源に接続する際の別の組み合わせを説明する図である。
【図１８】実施の形態４で説明する水質センサにおける導電率とセル定数との関係を示すグラフである。
【図１９】実施の形態５で説明する水質センサの側面図である。
【図２０】実施の形態５で説明する水質センサの正面図である。
【図２１】実施の形態６で説明する水質センサの一部切り欠き断面図である。
【図２２】実施の形態６で説明する水質センサの断面図である。
【符号の説明】
【００６１】
１０，１１，１２，１３  電極
３０，７０  電極保持部
３１  一方端面
３２  ケーブル突出部
３３  接続体
３５，３８  ケーブル
３６  中心点
３７  増幅回路基板
３９  電装部
４０，４１，４２，４３，４５，４６，４７，４８  穴
５０，５１，５２，５３  端子
６０  配管
６１  穴
７１  内部流路
７２  流体流入部
７３  流体流出部
７５，７７，８２  突起
７６，７８  窪み
８０  流路
８１  開口部
８３  オーリング
９０  外極
９１  配線
【図１】
2009085851.tif 000003
【図２】
2009085851.tif 000004
【図３】
2009085851.tif 000005
【図４】
2009085851.tif 000006
【図５】
2009085851.tif 000007
【図６】
2009085851.tif 000008
【図７】
2009085851.tif 000009
【図８】
2009085851.tif 000010
【図９】
2009085851.tif 000011
【図１０】
2009085851.tif 000012
【図１１】
2009085851.tif 000013
【図１２】
2009085851.tif 000014
【図１３】
2009085851.tif 000015
【図１４】
2009085851.tif 000016
【図１５】
2009085851.tif 000017
【図１６】
2009085851.tif 000018
【図１７】
2009085851.tif 000019
【図１８】
2009085851.tif 000020
【図１９】
2009085851.tif 000021
【図２０】
2009085851.tif 000022
【図２１】
2009085851.tif 000023
【図２２】
2009085851.tif 000024